(57)【要約】      （修正有）【課題】所定の装置への組付けが容易になる防塵防水スイッチおよびその取付け構造を提供する。【解決手段】防塵防水スイッチ２０を、押圧部の押圧操作によりオン状態とオフ状態とに切りかわるタクトスイッチと、押圧部を開放した状態でタクトスイッチを収容するケースと、タクトスイッチとケースとを覆うゴム製の防塵防水カバーとで構成した。そして、ケースの外周面に周方向に延びる組付け用溝２６を形成し、防塵防水カバーを、組付け用溝２６を挟んで、押圧部側部分を覆う押圧部側カバー２７と、ケースにおける押圧部が位置する部分と反対側部分を覆う底部側カバー２８とで構成した。【選択図】図２
0003202826.tif 000002
【実用新案登録請求の範囲】
【請求項１】
押圧部の押圧操作によりオン状態とオフ状態とに切りかわるタクトスイッチと、
前記押圧部を開放した状態で前記タクトスイッチを収容する外周部を備えたケースと、
前記タクトスイッチと前記ケースとを覆うゴム製の防塵防水カバーとを備えた防塵防水スイッチであって、
前記ケースの外周面に周方向に延びる組付け用溝が形成され、
前記防塵防水カバーが、前記組付け用溝を挟んで、前記タクトスイッチと前記ケースとにおける前記押圧部が位置する方の部分を密閉状態で覆う押圧部側カバーと、前記タクトスイッチと前記ケースにおける前記押圧部が位置する方と反対側の部分を密閉状態で覆う底部側カバーとで構成されていることを特徴とする防塵防水スイッチ。
【請求項２】
前記ケース内に、接続端子を介して前記タクトスイッチに接続されるとともに、前記ケースの外部に延びる配線が接続されたスイッチターミナルが設置され、
前記底部側カバーに、前記配線との間が防塵防水された状態で前記配線を通す挿通孔が形成されている請求項１に記載の防塵防水スイッチ。
【請求項３】
前記タクトスイッチが非防塵防水タクトスイッチである請求項１または２に記載の防塵防水スイッチ。
【請求項４】
前記ケースが略円筒状に形成され、前記組付け用溝が前記ケースの円周全体に沿って形成されている請求項１ないし３のうちのいずれか一つに記載の防塵防水スイッチ。
【請求項５】
前記ケースの外周面における前記押圧部側カバーと前記底部側カバーとに対向する部分にそれぞれフランジ状の係合突起が形成され、前記押圧部側カバーと前記底部側カバーとに、それぞれ前記係合突起に係合する係合溝部が形成されている請求項１ないし４のうちのいずれか一つに記載の防塵防水スイッチ。
【請求項６】
請求項１ないし５のうちのいずれか一つに記載の防塵防水スイッチを、車両の操作グリップに取り付けるための防塵防水スイッチの取付け構造であって、
前記操作グリップが、互いに組み付け可能で少なくとも一方に操作用窓部が形成されたベース部材とカバー部材とを備えているとともに、前記ベース部材と前記カバー部材との少なくとも一方の内面に、前記組付け用溝に係合できる係合部が設けられ、
前記係合部を前記組付け用溝に係合させて前記ベース部材と前記カバー部材を組み付けると、前記操作用窓部に、前記押圧部側カバーを介して前記押圧部が位置した状態で、前記防塵防水スイッチが前記操作グリップ内に固定されるようにした防塵防水スイッチの取付け構造。
【請求項７】
前記係合部が、前記組付け用溝に係合できる円弧状片と、固着具によって前記ベース部材に固定される固定片とを備えた取付け用部材で構成されている請求項６に記載の防塵防水スイッチの取付け構造。
【請求項８】
前記係合部が、前記組付け用溝に係合できる円弧状片を備え、前記ベース部材と前記カバー部材に挟持固定される取付け用部材で構成されている請求項６に記載の防塵防水スイッチの取付け構造。
【請求項９】
請求項１ないし５のうちのいずれか一つに記載の防塵防水スイッチを、車両の操作グリップに取り付けるための防塵防水スイッチの取付け構造であって、
前記操作グリップが、互いに組み付け可能なベース部材とカバー部材とで構成され、前記ベース部材の縁部またはその近傍に設けられた壁部に、前記組付け用溝の一方側に係合できる係合凹部が形成されるとともに、前記カバー部材の縁部またはその近傍に設けられた壁部に、前記組付け用溝の他方側に係合できる係合凹部が形成され、
前記防塵防水スイッチの押圧部側を外部側に位置させた状態で前記組付け用溝にそれぞれの係合凹部を係合させて前記ベース部材と前記カバー部材を組み付けると、前記防塵防水スイッチが前記操作グリップに固定されるようにした防塵防水スイッチの取付け構造。
【請求項１０】
前記防塵防水スイッチが複数個取り付けられている請求項６ないし９のうちのいずれか一つに記載の防塵防水スイッチの取付け構造。
【考案の詳細な説明】
【技術分野】
【０００１】
本考案は、農業機械、車両、船舶、産業機械等に設けられる防塵防水スイッチおよびその取付け構造に関する。
【背景技術】
【０００２】
例えば、産業機器の中には、防塵防水機能を有するスイッチが備わっているものがある。このようなスイッチの中に、タクトスイッチと、ケースと、防水カバーを備えた防塵防水スイッチがある（例えば、特許文献１参照）。この防塵防水スイッチ（点火スイッチ）は、押釦を押してオン状態になり、さらに押釦を押すとオフ状態になるタクトスイッチの押釦をゴムキャップで覆い、その状態のタクトスイッチをケース内に固定している。また、タクトスイッチのリード線引出部を絶縁シール剤で固め、リード線を外部に延ばした状態で、絶縁シール剤を防水カバーで被覆している。このため、防水性が確保され、絶縁シール剤の劣化が防止されるという効果が生じる。
【０００３】
このように構成された防塵防水スイッチは、湯沸器から延びるフレキシブル出湯管の先端に取り付けられるキッチンシャワーのキャップ部の内部に、板バネおよび手元操作釦と一体になった取付け枠を介して取り付けられている。手元操作釦は、キッチンシャワーの表面に露出しており、これを押圧することにより、防塵防水スイッチの押釦が押圧され、板バネは、押圧された手元操作釦を自動復帰させる。
【先行技術文献】
【特許文献】
【０００４】
【特許文献１】実開平７−４１２４７号公報
【考案の概要】
【０００５】
しかしながら、前述した従来の防塵防水スイッチは、取付け枠内に嵌め込まれて固定されるため、大きな取付け枠が必要になるという問題や、防塵防水スイッチに位置ずれが生じ易いという問題がある。
【０００６】
本考案は、前述した問題に対処するためになされたもので、その目的は、所定の装置への取り付けが容易になるとともに取り付け後に位置ずれが生じ難くなる防塵防水スイッチおよびその取付け構造を提供することである。なお、下記本考案の各構成要件の記載においては、本考案の理解を容易にするために、実施形態の対応箇所の符号を括弧内に記載しているが、本考案の構成要件は、実施形態の符号によって示された対応箇所の構成に限定解釈されるべきものではない。
【０００７】
上記の目的を達成するため、本考案に係る防塵防水スイッチの構成上の特徴は、押圧部（２１ｂ）の押圧操作によりオン状態とオフ状態とに切りかわるタクトスイッチ（２１）と、押圧部を開放した状態でタクトスイッチを収容する外周部（２５ａ）を備えたケース（２５）と、タクトスイッチとケースとを覆うゴム製の防塵防水カバー（２７，２８）とを備えた防塵防水スイッチ（２０）であって、ケースの外周面に周方向に延びる組付け用溝（２６）が形成され、防塵防水カバーが、組付け用溝を挟んで、タクトスイッチとケースとにおける押圧部が位置する方の部分を密閉状態で覆う押圧部側カバー（２７）と、タクトスイッチとケースにおける押圧部が位置する方と反対側の部分を密閉状態で覆う底部側カバー（２８）とで構成されていることにある。
【０００８】
本考案に係る防塵防水スイッチでは、タクトスイッチの押圧部を開放、すなわち、押圧部を押圧操作可能にした状態でタクトスイッチをケースで覆い、さらに、タクトスイッチとケースにおける組付け用溝以外の部分を、ともにゴムからなる弾性を備えた押圧部側カバーと底部側カバーで構成される防塵防水カバーで密閉状態で覆っている。このため、防塵防水スイッチの外部からタクトスイッチに、ごみ、埃などが入ったり、水浸入したりすることが防止される。また、防塵防水スイッチを所定の装置や部材に取り付ける際には、その装置や部材に、組付け用溝に係合できる係合部を設けることで容易に取り付けができる。この場合、小さな係合部で、防塵防水スイッチを位置ずれさせることなく固定することができる。
【０００９】
本考案に係る防塵防水スイッチの他の構成上の特徴は、ケース内に、接続端子（２１ｃ）を介してタクトスイッチに接続されるとともに、ケースの外部に延びる配線（２４）が接続されたスイッチターミナル（２２）が設置され、底部側カバーに、配線との間が防塵防水された状態で配線を通す挿通孔（２８ｄ）が形成されていることにある。
【００１０】
本考案によると、配線をスイッチターミナルから外部に延ばすために底部側カバーに形成した挿通孔と配線との間から、防塵防水スイッチの内部に、ごみ、埃などが入ったり、水浸入したりすることが防止される。なお、本考案における防塵防水するための構成は、底部側カバーのゴムの弾性で、挿通孔の内周面に配線の外周面が密着するものであってもよいし、挿通孔の内周面と配線の外周面とを接着剤で密着させたものであってもよい。また、ケースに底面部が備わっている場合には、ケースの底面部にも配線を通すための挿通孔を形成する。この場合、ケースの挿通孔と配線との間には、防塵防水機能が備わっていてもよいし、備わっていなくてもよい。
【００１１】
本考案に係る防塵防水スイッチのさらに他の構成上の特徴は、タクトスイッチが非防塵防水タクトスイッチであることにある。
【００１２】
防塵防水機能が要求される場所で用いられるタクトスイッチとしては、通常、防塵処理および防水処理が施された防水タクトスイッチが用いられるが、これを防塵防水スイッチで用いると防塵防水スイッチが高価になってしまう。本考案では、タクトスイッチとしては非防塵防水タクトスイッチを用い、防塵防水カバーでタクトスイッチとケースを覆うことで、防塵防水スイッチに防塵防水機能が生じるようにしている。このため、防塵防水スイッチが高価格化することを防止できる。
【００１３】
本考案に係る防塵防水スイッチのさらに他の構成上の特徴は、ケースが略円筒状に形成され、組付け用溝がケースの円周全体に沿って形成されていることにある。
【００１４】
本考案によると、組付け用溝に係合できる係合部を円弧状に形成することで、防塵防水スイッチの周方向の位置をどのようにしても、リング状に形成された組付け用溝に係合部がより確実に係合できるようになる。これによって、防塵防水スイッチを所定の装置や部材に良好な状態で固定することができる。
【００１５】
本考案に係る防塵防水スイッチのさらに他の構成上の特徴は、ケースの外周面における押圧部側カバーと底部側カバーとに対向する部分にそれぞれフランジ状の係合突起（２５ｃ，２５ｄ）が形成され、押圧部側カバーと底部側カバーとに、それぞれ係合突起に係合する係合溝部が形成されていることにある。
【００１６】
本考案によると、押圧部側カバーと底部側カバーが、それぞれ係合突起と係合溝部との係合によって、ケースに組み付けられるため、ケースから外れ難くなる。
【００１７】
本考案に係る防塵防水スイッチの取付け構造の構成上の特徴は、前述した防塵防水スイッチを、車両の操作グリップに取り付けるための防塵防水スイッチの取付け構造であって、操作グリップ（１０）が、互いに組み付け可能で少なくとも一方に操作用窓部（１３ｃ，１３ｄ，１５ｂ）が形成されたベース部材（１１）とカバー部材（１５）とを備えているとともに、ベース部材とカバー部材との少なくとも一方の内面に、組付け用溝に係合できる係合部（３１，３２）が設けられ、係合部を組付け用溝に係合させてベース部材とカバー部材を組み付けると、操作用窓部に、押圧部側カバーを介して押圧部が位置した状態で、防塵防水スイッチが操作グリップ内に固定されるようにしたことにある。
【００１８】
本考案によると、係合部を組付け用溝に係合させてベース部材とカバー部材を組み付けるだけで、防塵防水スイッチを操作グリップに取り付けることができるため、防塵防水スイッチの操作グリップへの取り付けが容易になる。また、係合部は、組付け用溝に係合できるだけの小さなものですみ、この小さな係合部で、防塵防水スイッチを、位置ずれを防止した状態で固定できる。なお、本考案において、操作用窓部に、押圧部側カバーを介して押圧部が位置した状態とは、押圧部が操作用窓部の奥側に位置して、外部から押圧部側カバーを介して押圧操作が可能になっている状態である。
【００１９】
本考案に係る防塵防水スイッチの取付け構造の他の構成上の特徴は、係合部（３１）が、組付け用溝に係合できる円弧状片（３１ａ）と、固着具によってベース部材に固定される固定片（３１ｂ）とを備えた取付け用部材で構成されていることにある。
【００２０】
本考案によると、係合部が、円弧状片と、固定片とを備えた取付け用部材で構成されているため、極力小さな部材ですむ。なお、固着具には、ねじ、ビス、ボルトの他、接着剤も含まれるものとする。
【００２１】
本考案に係る防塵防水スイッチの取付け構造のさらに他の構成上の特徴は、係合部（３２）が、組付け用溝に係合できる円弧状片（３２ａ，３２ｂ，３２ｃ）を備え、ベース部材とカバー部材に挟持固定される取付け用部材で構成されていることにある。
【００２２】
本考案によると、取付け用部材の円弧状片を組付け用溝に係合させた状態で、ベース部材とカバー部材を組み付けると、取付け用部材がベース部材とカバー部材に挟持固定されるため、固着具は不要になる。したがって、係合部を、ベース部材とカバー部材に挟持固定される円弧状片だけで構成することができる。
【００２３】
本考案に係る防塵防水スイッチの取付け構造のさらに他の構成上の特徴は、前述した防塵防水スイッチを、車両の操作グリップに取り付けるための防塵防水スイッチの取付け構造であって、操作グリップ（４０）が、互いに組み付け可能なベース部材（４１）とカバー部材（４５）とで構成され、ベース部材の縁部またはその近傍に設けられた壁部（４３ａ，４３ｂ，４３ｃ）に、組付け用溝の一方側に係合できる係合凹部（４１ａ，４１ｂ，４１ｃ，４２ａ，４２ｂ，４２ｃ）が形成されるとともに、カバー部材の縁部またはその近傍に設けられた壁部（４７ａ，４７ｂ）に、組付け用溝の他方側に係合できる係合凹部（４５ａ，４５ｂ，４５ｃ，４６ａ，４６ｂ）が形成され、防塵防水スイッチの押圧部側を外部側に位置させた状態で組付け用溝にそれぞれの係合凹部を係合させてベース部材とカバー部材を組み付けると、防塵防水スイッチが操作グリップに固定されるようにしたことにある。
【００２４】
本考案によると、組付け用溝にそれぞれの係合凹部を係合させてベース部材とカバー部材を組み付けるだけで、防塵防水スイッチを操作グリップへ組み付けることができるため、防塵防水スイッチの操作グリップへの組み付けが極めて容易になる。また、係合凹部は、それぞれベース部材とカバー部材に形成されるため、防塵防水スイッチを固定するために別途係合部材を設ける必要はない。
【００２５】
本考案に係る防塵防水スイッチの取付け構造のさらに他の構成上の特徴は、防塵防水スイッチが複数個取り付けられていることにある。本考案によると、１つの操作グリップに、種々の目的のための防塵防水スイッチを取り付けることができる。また、この場合、各防塵防水スイッチを向きを変えて配置できることが好ましい。
【図面の簡単な説明】
【００２６】
【図１】第１実施形態に係る防塵防水スイッチを備えた操作グリップを示した斜視図である。
【図２】第１実施形態に係る操作グリップの内部を示した斜視図である。
【図３】防塵防水スイッチを示しており、（ａ）は正面図、（ｂ）は側面図、（ｃ）は底面図である。
【図４】図３（ｃ）の４−４断面図である。
【図５】防塵防水スイッチを斜め上方から見た状態を示した分解斜視図である。
【図６】防塵防水スイッチを斜め下方から見た状態を示した分解斜視図である。
【図７】Ｓ形プレートで防塵防水スイッチを取り付ける状態を示した斜視図である。
【図８】Ｕ形プレートで防塵防水スイッチを取り付ける状態を示した斜視図である。
【図９】第２実施形態に係る防塵防水スイッチを備えた操作グリップを示した斜視図である。
【図１０】第２実施形態に係る操作グリップの内部を示した斜視図である。
【図１１】Ｕ形プレートで防塵防水スイッチを取り付ける状態を示した斜視図である。
【図１２】Ｕ形プレートが組み付けられた防塵防水スイッチを取り付ける状態を示した斜視図である。
【図１３】グリップベースに防塵防水スイッチとプッシュノブを取り付ける状態を示した斜視図である。
【図１４】グリップベースに防塵防水スイッチを取り付けた状態を示した斜視図である。
【図１５】グリップベースに防塵防水スイッチとプッシュノブを取り付けた状態を示した斜視図である。
【考案を実施するための形態】
【００２７】
（第１実施形態）
以下、本考案の第１実施形態を図面を用いて説明する。図１は、同実施形態に係る防塵防水スイッチ２０が組み付けられた操作グリップ１０を示しており、図２は、その内部を示している。この操作グリップ１０は、車両としての農業用機械、例えば、コンバインの運転操作に用いられるものであり、下部に対して上部を前後左右に移動可能になっている。なお、本実施形態において操作グリップ１０の前後左右上下の各方向は、図２に基づいたものとし、図２の紙面の奥側やや左が前で、紙面の手前側やや右が後、左やや手前側が左で、右やや奥側が右である。また、上下の方向は、図２の通りである。
【００２８】
コンバインは、操作グリップ１０の操作に応じて進行し、前側に傾斜するように操作すると前進し、後側に傾斜するように操作すると後進する。また、コンバインは、操作グリップ１０を左側に傾斜するように操作すると左旋回し、右側に傾斜するように操作すると右旋回する。その際の、操作グリップ１０の傾斜角度が大きいほどコンバインの移動速度は速くなる。
【００２９】
操作グリップ１０は、ベース部材としてのグリップベース１１と、カバー部材としてのグリップカバー１５と、蓋部材（図示せず）とで内部に空間が形成された外郭部を構成しており、図２に示したように、その内部に２つの防塵防水スイッチ２０が組み込まれている。グリップベース１１は、ベース下部１２とベース上部１３とで構成されている。ベース下部１２は、横断面形状が略楕円形になって上下に延びる短い柱状に形成されている。そして、ベース下部１２の下端には、略四角板状の台部１２ａが形成され、台部１２ａの少し上方に、台部１２ａよりも少し大きな鍔部１２ｂが形成されている。このベース下部１２には、後述する配線２４および他の配線（図示せず）を通すための通路１２ｃが設けられている。
【００３０】
ベース上部１３は、操作グリップ１０の上部の右側面を構成する部分で、凸面からなる外面と凹面からなる内面を備えている。このベース上部１３は、ベース下部１２の右側部から、前後および左右の幅を僅かに広げながらやや前方に傾斜するようにして上方に延びており、その上部には、膨張部１３ａが形成されている。膨張部１３ａは、卵の殻を立て半分にした形状の縁部の後部に縁部が湾曲した凹部１３ｂを形成した形状に形成されている。また、膨張部１３ａの内面には、円筒状の固定部１４、断面形状がコ字状に形成され、コ字状の開放部分を対向させて配置された一対の係合片１４ａ，１４ｂ等が形成され、膨張部１３ａには、左右に貫通する窓部１３ｃが形成されている。また、膨張部１３ａの縁部における前部下側には上下に長い切欠き凹部１３ｄが形成されている。
【００３１】
グリップカバー１５は、操作グリップ１０の上部の左側面を構成する部分で、凸面からなる外面と凹面からなる内面を備えている。グリップカバー１５は、ベース上部１３と略左右対称の形状をしており、凹部１３ｂに対向する凹部（図示せず）が形成された膨張部１５ａを備えている。また、膨張部１５ａの縁部における前部下側には上下に長い切欠き凹部１５ｂが形成されている。グリップカバー１５は、ベース上部１３に対向した状態でグリップベース１１に組み付けられる。
【００３２】
そして、グリップカバー１５が、グリップベース１１に組み付けられたときに、膨張部１３ａと膨張部１５ａが組み付けられて略卵形に形成され、凹部１３ｂと不図示の凹部で略円形の窓部が形成され、切欠き凹部１３ｄと切欠き凹部１５ｂで縦長の小さな長方形の窓部が形成される。また、ベース上部１３の中央部分とグリップカバー１５の下部側部分とで、横断面形状が略楕円形になって上下に延びる円筒状部分が形成される。不図示の蓋部材は、凹部１３ｂと不図示の凹部で形成される窓部に取り付けられてその窓部を閉塞する。
【００３３】
防塵防水スイッチ２０は、図３ないし図６に示したように構成されており、タクトスイッチ２１と、スイッチターミナル２２と、ケース２５と、押圧部側カバー２７と、底部側カバー２８とを備えている。タクトスイッチ２１は、矩形に形成されたスイッチ本体２１ａの上部に円板状の押圧部２１ｂを形成し、スイッチ本体２１ａの下部の四隅に下方に延びる接続端子２１ｃをそれぞれ設けて構成されている。このタクトスイッチ２１は、押圧部２１ｂを押圧することにより各接続端子２１ｃが連通してオン状態になり、押圧部２１ｂの押圧を解除することによりオフ状態になる。
【００３４】
スイッチターミナル２２は、円板状の基部２２ａの下面に一対の端子板２３を取り付けて構成されている。基部２２ａには、タクトスイッチ２１の４つの接続端子２１ｃを通す４つの挿通穴２２ｂと、２つの配線２４の露出部分２４ａを通す２つの挿通穴２２ｃが形成されている。端子板２３は、それぞれ円弧状の金属板で構成されており、その両端側に２つの接続端子２１ｃを通して固定するための一対の固定穴２３ａが形成され、中央に１つの配線２４の露出部分２４ａを通して固定するための固定穴２３ｂが一つ形成されている。
【００３５】
２つの端子板２３は、それぞれ固定穴２３ａを挿通穴２２ｂに合わせ、固定穴２３ｂを挿通穴２２ｃに合わせた状態で基部２２ａに固定されており、基部２２ａの下面外周側に円弧状の外周縁部を沿わせた状態で１８０度位置をずらして配置されている。接続端子２１ｃは、それぞれ上方から挿通穴２２ｂおよび固定穴２３ａを挿通して半田付けによって端子板２３に固定され、配線２４の露出部分２４ａは、それぞれ下方から固定穴２３ｂおよび挿通穴２２ｃを挿通して半田付けによって端子板２３に固定されている。
【００３６】
ケース２５は、内部にタクトスイッチ２１とスイッチターミナル２２を収容できる大きさの円筒状の外周部２５ａを備えており、内周面にスイッチターミナル２２を支持できる円弧状の一対の段部２５ｂが対向して形成されている。また、外周部２５ａの外周面における上下方向の中央部分には、上下に間隔を保って一対のフランジ状の突起２６ａ，２６ｂが形成されており、この突起２６ａ，２６ｂと、外周部２５ａにおける突起２６ａ，２６ｂ間の部分とで、組付け用溝２６が構成される。そして、外周部２５ａの外周面における上端部と下端部には、それぞれフランジ状の係合突起２５ｃ，２５ｄが形成されている。係合突起２５ｃ，２５ｄの外径は、突起２６ａ，２６ｂの外径よりも小さくなっている。
【００３７】
押圧部側カバー２７は、円板状の天井部２７ａと、天井部２７ａの外周部から下方に延びる外周部２７ｂと、外周部２７ｂの下端から内部側に突出する内向きフランジ状の係合凸部２７ｃで構成されている。この押圧部側カバー２７は、係合凸部２７ｃを突起２６ａと係合突起２５ｃの間に挿入し、係合突起２５ｃを天井部２７ａと係合凸部２７ｃで挟んだ状態でケース２５に組み付けられ、その状態で、天井部２７ａの下方には、押圧部２１ｂが位置する。図４に示した状態での外周部２７ｂの内周面と、天井部２７ａの下面と、係合凸部２７ｃの上面とで囲まれる部分で本考案に係る係合溝部が構成される。また、押圧部側カバー２７とケース２５とが接触する部分は、押圧部側カバー２７を構成するゴムの弾性によって圧接し、水や埃等が入ることが防止される。
【００３８】
底部側カバー２８は、円板状の底面部２８ａと、底面部２８ａの外周部から上方に延びる外周部２８ｂと、外周部２８ｂの上端から内部側に突出する内向きフランジ状の係合凸部２８ｃで構成されている。また、底面部２８ａには、各配線２４が挿通できる挿通孔２８ｄが形成されている。この底部側カバー２８は、係合凸部２８ｃを突起２５ｄと係合突起２６ｂの間に挿入し、突起２５ｄを底面部２８ａと係合凸部２８ｃで挟むとともに、挿通孔２８ｄに配線２４を通した状態でケース２５に組み付けられている。
【００３９】
外周部２８ｂの内周面と、底面部２８ａの上面と、係合凸部２８ｃの下面とで囲まれる部分で本考案に係る係合溝部が構成される。底部側カバー２８と、ケース２５および配線２４がそれぞれ接触する部分は、底部側カバー２８を構成するゴムの弾性によって圧接し、水や埃等が入ることが防止される。この押圧部側カバー２７と底部側カバー２８とで本考案に係る防塵防水カバーが構成される。
【００４０】
このように構成された防塵防水スイッチ２０は、図７に示したＳ形プレート３１、または図８に示したＵ形プレート３２を用いて、操作グリップ１０に取り付けられる。Ｓ形プレート３１は、組付け用溝２６の略半分の部分に係合できる円弧状片３１ａと、円弧状片３１ａの一方の端部から湾曲した円弧状片３１ａの凸部側に延びる固定片３１ｂで構成されている。固定片３１ｂは、円弧状片３１ａの両端部を結ぶ仮想直線に対して略直交するように延びており、その先端近傍には、ねじ挿通穴３１ｃが形成されている。
【００４１】
２つの防塵防水スイッチ２０のうちの一方は、組付け用溝２６に、Ｓ形プレート３１の円弧状片３１ａを係合させた状態で、Ｓ形プレート３１とともに、グリップベース１１の膨張部１３ａに取り付けられる。この場合、防塵防水スイッチ２０の押圧部２１ｂ側を窓部１３ｃに対向させ、Ｓ形プレート３１のねじ挿通穴３１ｃを固定部１４の先端に対向させる。そして、取付ビス３３のねじ部をねじ挿通穴３１ｃに通して固定部１４の内周面に螺合させることにより、一方の防塵防水スイッチ２０はグリップベース１１に固定される。なお、防塵防水スイッチ２０が取り付けられる前に、窓部１３ｃには、表面に「下」の文字が表示されたプッシュノブ３４が取り付けられており、このプッシュノブ３４の押圧操作を介して、押圧部２１ｂは押圧される。
【００４２】
Ｕ形プレート３２は、組付け用溝２６の略半分の部分に係合できる略Ｕ字状の板状片で構成されており、略真っ直ぐに延びる基部３２ａと、基部３２ａの両端から互いに平行して延びる把持片３２ｂ，３２ｃを備えている。基部３２ａと把持片３２ｂ，３２ｃの外側縁部はコ字状に形成され、基部３２ａと把持片３２ｂ，３２ｃの内側縁部はＵ字状に形成されている。また、把持片３２ｂ，３２ｃの長さは、防塵防水スイッチ２０の組付け用溝２６にＵ形プレート３２を組み付けたときに、把持片３２ｂ，３２ｃの先端が防塵防水スイッチ２０の外周部先端近傍まで延びるように設定されている。
【００４３】
２つの防塵防水スイッチ２０のうちの他方は、組付け用溝２６に、Ｕ形プレート３２を係合させた状態で、Ｕ形プレート３２とともに、グリップベース１１の膨張部１３ａに取り付けられる。この場合、防塵防水スイッチ２０の押圧部２１ｂ側を、切欠き凹部１３ｄと切欠き凹部１５ｂで形成される窓部に対向させ、把持片３２ｂ，３２ｃの先端部を膨張部１３ａ側に向けてそれぞれ係合片１４ａ，１４ｂに差し込んで係合させる。そして、グリップベース１１にグリップカバー１５を組み付けることにより、他方の防塵防水スイッチ２０はグリップベース１１に固定される。なお、グリップカバー１５の所定部分にはねじ挿通穴が形成されており、グリップベース１１とグリップカバー１５の組み付けは、ねじを用いて行われる。
【００４４】
また、切欠き凹部１３ｄと切欠き凹部１５ｂで形成される窓部には、トリガノブ３５が上部を支点として回転可能に取り付けられ、このトリガノブ３５の押圧操作を介して、押圧部２１ｂは押圧される。この状態のグリップベース１１の凹部１３ｂとグリップカバー１５の凹部で形成される窓部に、蓋部材を組み付けて、操作グリップ１０への２つの防塵防水スイッチ２０の取り付けが終了する。なお、２つの防塵防水スイッチ２０の配線２４は、ベース下部１２に設けられた通路１２ｃを通って、コンバインの本体側に延ばされる。プッシュノブ３４を介して、押圧部２１ｂを押圧することによりコンバインは車体を下降させ、トリガノブ３５を介して、押圧部２１ｂを押圧することにより、コンバインが旋回するときの旋回力が上昇する。
【００４５】
このように、本実施形態に係る防塵防水スイッチ２０では、押圧部２１ｂを外部側に開放した状態でタクトスイッチ２１と、スイッチターミナル２２をケース２５内に収容している。そして、タクトスイッチ２１と、スイッチターミナル２２と、ケース２５における組付け用溝２６よりも上部側部分を押圧部側カバー２７で覆い、タクトスイッチ２１と、スイッチターミナル２２と、ケース２５における組付け用溝２６よりも下部側部分を底部側カバー２８で覆っている。このとき、ケース２５の外周面と、押圧部側カバー２７および底部側カバー２８のそれぞれの内周面とは密着状態になる。このため、外部から防塵防水スイッチ２０内に、ごみ、埃などが入ったり、水浸入したりすることが防止される。
【００４６】
また、スイッチターミナル２２から外部に延びる配線２４と底部側カバー２８の挿通孔２８ｄの内周面との間は、底部側カバー２８を構成するゴムの弾性によって互いに圧接され、水や埃等が底部側カバー２８内に入ることが防止される。さらに、タクトスイッチ２１を非防塵防水タクトスイッチで構成したため、防塵防水スイッチ２０が高価格化することを防止できる。
【００４７】
また、２つの防塵防水スイッチ２０を操作グリップ１０に組み付ける際には、一方の防塵防水スイッチ２０は、組付け用溝２６に、Ｓ形プレート３１の円弧状片３１ａを係合させた状態で、Ｓ形プレート３１を取付ビス３３で固定部１４に固定することにより、簡単に取り付けができる。他方の防塵防水スイッチ２０は、組付け用溝２６に、Ｕ形プレート３２を係合させた状態で、グリップベース１１の膨張部１３ａに配置され、グリップベース１１にグリップカバー１５を組み付けることにより、固定された状態で取り付けられる。このように、防塵防水スイッチ２０の操作グリップ１０への取り付けが極めて容易になる。また、Ｓ形プレート３１およびＵ形プレート３２は、組付け用溝２６に係合できるだけの小さな取付け用部材で済むため、取付構造が簡単になる。さらに、防塵防水スイッチ２０が位置ずれすることをより確実に防止できる。また、２つの防塵防水スイッチ２０を異なる向きに配置することができる。
【００４８】
（第２実施形態）
図９は、本考案の第２実施形態に係る防塵防水スイッチ２０が組み付けられた操作グリップ４０を示しており、図１０はその内部を示している。この操作グリップ４０は、ベース部材としてのグリップベース４１と、カバー部材としてのグリップカバー４５とで内部に空間が形成された外郭部を構成しており、その外郭部に、図１０に示したように、４つの防塵防水スイッチ２０が取り付けられている。なお、本実施形態において操作グリップ４０の前後左右上下の各方向は、図９に基づいたものとし、図９の紙面の奥側やや右が前で、紙面の手前側やや左が後、左やや奥側が左で、右やや手前が右である。また、上下の方向は、図９の通りである。
【００４９】
グリップベース４１は、操作グリップ４０の後面部（操作者側）を構成する部分で、凸面からなる外面と凹面からなる内面を備え、上下方向の中央部分が下部および上部よりも後方に突出している。また、このグリップベース４１は、下部から上方に幅を広げながら延びて、上縁部は中央側が上方に突出した略円弧状に形成されている。また、グリップベース４１の右側前部の縁部には、図１１ないし図１３（図１１ないし図１３では左側）に示したように、半円状の係合凹部４１ａ，４１ｂ，４１ｃが上下に間隔をおいて形成され、グリップベース４１の内面における係合凹部４１ａ，４１ｂ，４１ｃの近傍には、係合凹部４１ａ，４１ｂ，４１ｃと同じ間隔で、それぞれ係合凹部４２ａ，４２ｂ，４２ｃを備えた３つの板状片からなる壁部４３ａ，４３ｂ，４３ｃが形成されている。
【００５０】
壁部４３ａ，４３ｂ，４３ｃの係合凹部４２ａ，４２ｂ，４２ｃは、それぞれ係合凹部４１ａ，４１ｂ，４１ｃと同じ高さに位置しており、右側から見たときにそれぞれの縁部が重なるように配置されている。また、グリップベース４１の右側前部の縁部における係合凹部４１ａの上方には、略半長円状の凹部４１ｄが形成され、グリップベース４１の内面には、円筒状の固定部４４が複数個形成されている。さらに、グリップベース４１の上下方向の略中央における右側部分には、前後に貫通する窓部４４ａが形成されている。
【００５１】
グリップカバー４５は、操作グリップ４０の前面部を構成する部分で、ともに凹凸面からなる外面と内面を備えている。グリップカバー４５は、周縁部が、グリップベース４１の周縁部と略一致して組み付け可能になっており、周縁部から周側面が前方に延び、前面が、上下方向の中央部が上部および下部よりも後方に突出した凹曲面に形成されている。また、グリップカバー４５の右側後部の縁部には、半円状の係合凹部４５ａ，４５ｂ，４５ｃが上下に間隔をおいて形成されており、係合凹部４５ａ，４５ｂ，４５ｃの近傍には、係合凹部４５ａ，４５ｂ，４５ｃと同じ間隔で、それぞれ係合凹部４６ａ，４６ｂを備えた３つの壁部４７ａ，４７ｂ（図１５参照。もう一つは隠れて見えない。）が形成されている。
【００５２】
また、グリップカバー４５の縁部における係合凹部４５ａの上方には、略半長円状の凹部４５ｄが形成されている。グリップカバー４５をグリップベース４１に組み付けたときに、係合凹部４５ａ，４５ｂ，４５ｃはそれぞれ係合凹部４１ａ，４１ｂ，４１ｃとで円形の窓部を形成し、３つの壁部４７ａ，４７ｂ等の係合凹部４６ａ，４６ｂ等はそれぞれ壁部４３ａ，４３ｂ，４３ｃの係合凹部４２ａ，４２ｂ，４２ｃと円形の窓部を形成する。また、凹部４１ｄと凹部４５ｄで略長円状の窓部を形成する。
【００５３】
このように構成された操作グリップ４０に、４つの防塵防水スイッチ２０を取り付けるときには、まず、１つの防塵防水スイッチ２０をＵ形プレート３２を用いて、グリップベース４１の内面に固定する。この場合、図１１に示した防塵防水スイッチ２０の組付け用溝２６に、Ｕ形プレート３２を係合させて、図１２の状態にする。そして、防塵防水スイッチ２０の押圧部２１ｂ側を、グリップベース４１に形成された窓部４４ａに対向させ、Ｕ形プレート３２の把持片３２ｂ，３２ｃの先端部をそれぞれ固定部４４の先端面の外周部に位置決めする。
【００５４】
その状態で、取付ビス３３のねじ部を固定部４４の内周面に螺合させる。これによって、把持片３２ｂ，３２ｃは、固定部４４の先端面と取付ビス３３の頭部に挟まれた状態で固定される。なお、グリップベース４１に、防塵防水スイッチ２０が取り付けられる前に、窓部には、表面に「刈」の文字が表示されたプッシュノブ３４ａが取り付けられており、このプッシュノブ３４ａの押圧操作を介して、押圧部２１ｂは押圧される。
【００５５】
つぎに、図１３に示した状態から、グリップベース４１の縁部近傍に形成された壁部４３ａ，４３ｂ，４３ｃの係合凹部４２ａ，４２ｂ，４２ｃに、それぞれ防塵防水スイッチ２０の組付け用溝２６を係合させて、３つの防塵防水スイッチ２０をグリップベース４１に組み付けて、図１４の状態にする。ついで、グリップベース４１の縁部に形成された係合凹部４１ａ，４１ｂ，４１ｃにそれぞれ表面に「深」、「浅」、「副」の文字が表示されたプッシュノブ３４ｂ，３４ｃ，３４ｄを取り付ける。
【００５６】
つぎに、グリップカバー４５の３つの壁部４７ａ，４７ｂ等の係合凹部４６ａ，４６ｂ等を上下に並んだ３つの防塵防水スイッチ２０の組付け用溝２６に係合させるとともに、グリップカバー４５の係合凹部４５ａ，４５ｂ，４５ｃを上下に並んだ３つのプッシュノブ３４ｂ，３４ｃ，３４ｄに係合させながらグリップカバー４５をグリップベース４１に組み付ける。このグリップベース４１とグリップカバー４５の組み付けもねじを用いて行う。これによって、操作グリップ４０への４つの防塵防水スイッチ２０の取り付けが終了する。この場合も、配線２４は、操作グリップ４０内に設けられた通路を通って、コンバインの本体側に延ばされる。
【００５７】
また、４つの防塵防水スイッチ２０のうち、プッシュノブ３４ａが取り付けられた防塵防水スイッチ２０は、刈り取り作業を行うために操作され、プッシュノブ３４ｂ，３４ｃが取り付けられた防塵防水スイッチ２０は、コンバインに搭載される脱穀部のこぎ深さを調節するために操作される。また、プッシュノブ３４ｄが取り付けられた防塵防水スイッチ２０は、コンバインの走行時に速度を変化させるために操作される。
【００５８】
本考案に係る防塵防水スイッチおよびその取付構造は、前述した実施形態に限るものでなく、本考案の技術的範囲内で適宜変更することができる。例えば、前述した実施形態では、防塵防水スイッチ２０をコンバインの操作グリップ１０，４０に取り付けているが、この防塵防水スイッチ２０は、トラクターなどコンバイン以外の農業機械、自動二輪車等の車両、船舶、産業機器等種々の装置で用いることができる。また、前述した実施形態では、防塵防水スイッチ２０をグリップベース１１，４１に取り付けているが、防塵防水スイッチ２０は、グリップカバー１５，４５に取り付けたのちに、グリップベース１１，４１とグリップカバー１５，４５を組み付けてもよい。
【００５９】
さらに、前述した第２実施形態では、３つの防塵防水スイッチ２０を、壁部４３ａ，４３ｂ，４３ｃの係合凹部４２ａ，４２ｂ，４２ｃと、３つの壁部４７ａ，４７ｂ等の係合凹部４６ａ，４６ｂ等に取り付けているが、これらの防塵防水スイッチ２０は、係合凹部４１ａ，４１ｂ，４１ｃと、係合凹部４５ａ，４５ｂ，４５ｃに取り付けてもよい。また、防塵防水スイッチおよびその取付構造を構成する各部材の形状等についても本考案の技術的範囲内で、適宜変更して実施することが可能である。
【符号の説明】
【００６０】
１０，４０…操作グリップ、１１，４１…グリップベース、１３ｃ…窓部、１３ｄ，１５ｂ…切欠き凹部、１５，４５…グリップカバー、２０…防塵防水スイッチ、２１…タクトスイッチ、２１ｂ…押圧部、２１ｃ…接続端子、２２…スイッチターミナル、２４…配線、２５…ケース、２５ａ…外周部、２６…組付け用溝、２７…押圧部側カバー、２８…底部側カバー、２８ｄ…挿通孔、３１…Ｓ形プレート、３１ａ…円弧状片、３１ｂ…固定片、３２…Ｕ形プレート、３２ａ…基部、３２ｂ，３２ｃ…把持片、４１ａ，４１ｂ，４１ｃ，４２ａ，４２ｂ，４２ｃ，４５ａ，４５ｂ，４５ｃ，４６ａ，４６ｂ…係合凹部、４３ａ，４３ｂ，４３ｃ，４７ａ，４７ｂ…壁部。
【図１】
0003202826.tif 000003
【図２】
0003202826.tif 000004
【図３】
0003202826.tif 000005
【図４】
0003202826.tif 000006
【図５】
0003202826.tif 000007
【図６】
0003202826.tif 000008
【図７】
0003202826.tif 000009
【図８】
0003202826.tif 000010
【図９】
0003202826.tif 000011
【図１０】
0003202826.tif 000012
【図１１】
0003202826.tif 000013
【図１２】
0003202826.tif 000014
【図１３】
0003202826.tif 000015
【図１４】
0003202826.tif 000016
【図１５】
0003202826.tif 000017